(57)【特許請求の範囲】
【請求項１】
複数のパラメータのうち設定されたパラメータが入力され、このパラメータからトリガを検出するピーク検出回路と、
複数の前記パラメータが入力されると共に、前記ピーク検出回路が設定されたパラメータのトリガを検出したとき、複数の前記パラメータを記憶するホールド回路と
を備えたことを特徴とするピーク検出回路。
【請求項２】
複数のパラメータのうち設定されたパラメータが入力され、このパラメータの最大値又は最小値を検出するピーク検出回路と、
複数の前記パラメータが入力されると共に、前記ピーク検出回路が設定されたパラメータの最大値又は最小値を検出したとき、複数の前記パラメータを記憶するホールド回路と
を備えたことを特徴とする請求項１に記載のピーク検出回路。
【発明の詳細な説明】
【技術分野】
【０００１】
本発明は、設定されたパラメータがトリガ条件を満たしたとき、そのときの各種パラメータを記憶するピークホールド回路に関し、特に電力計、オシロスコープ、多点記録計等の複数のパラメータを測定する測定装置に使用されるピークホールド回路に関する。
【背景技術】
【０００２】
測定装置は用途に合わせて設定されたパラメータを測定するが、例えば電力計では、電力値の他にも複数のパラメータを測定する必要がある。従来の測定装置では、これら複数のパラメータに対して個別にピークホールドを行っていた。従来のピークホールド回路の先行技術文献としては特許文献１、及び特許文献２のようなものがある。
【０００３】
【特許文献１】特開平０３−０４６５７１号公報
【０００４】
【特許文献２】特開平０２−３０４３７１号公報
【０００５】
以下、従来のピークホールド回路について説明する。図３は従来におけるピークホールド回路の構成図である。電力値出力手段１０は、例えば１５０ＶＡの電力値に相当する電力パラメータ（データ信号）を出力する。電流値出力手段２０は、例えば１Ａの電流値に相当する電流パラメータ（データ信号）を出力する。電圧値出力手段３０は、例えば１００Ｖの電圧値に相当する電圧パラメータ（データ信号）を出力する。
【０００６】
ホールド回路４０は、電力値ホールド回路４１、電流値ホールド回路４２、電圧値ホールド回路４３を備え、これらの回路で種々のパラメータを記憶する。電力値ホールド回路４１は、電力値出力手段１０から出力されたデータ信号の最大値又は最小値をホールド電力値として記憶する。電流値ホールド回路４２は、電流値出力手段２０から出力されたデータ信号の最大値又は最小値をホールド電流値として記憶する。電圧値ホールド回路４３は、電圧値出力手段３０から出力されたデータ信号の最大値又は最小値をホールド電圧値として記憶する。
【０００７】
次に、図３の動作について図４を参照して説明する。図４はデータ信号が入力されるごとにホールド回路４０で記憶する各種パラメータがどのように変化するかを示した表である。第１のデータとして、電力値１５０ＶＡ、電流値１Ａ、電圧値１００Ｖが入力されると、ホールド回路４０の電力値ホールド回路４１、電流値ホールド回路４２、電圧値ホールド回路４３は、それぞれこれらの値を記憶する。
【０００８】
第２のデータである電力値１４０ＶＡ、電流値０.９Ａ、電圧値９９Ｖが入力されても、これらの値は第１のデータよりいずれも低い値なので、ホールド回路４０の各種パラメータはいずれも変化しない。
【０００９】
第３のデータである電力値１８０ＶＡ、電流値１.２Ａ、電圧値９０Ｖが入力されると、電力値１８０ＶＡ、及び電流値１．２Ａは、それぞれホールド電力値、ホールド電流値より高いので、これらの値に上書きして電力値ホールド回路４１、電流値ホールド回路４２に記憶される。電圧値９０Ｖについてはホールド電圧値より低いので、電圧値ホールド回路４３に記憶されるホールド電圧値は変化しない。
【００１０】
第４のデータである電力値１３０ＶＡ、電流値０.９Ａ、電圧値１２０Ｖが入力されると、次のようにホールド回路４０に記憶されるデータが変化する。すなわち、ホールド電力値、及びホールド電流値についてはいずれも変化しない一方で、電圧値１２０Ｖは、ホールド電圧値である１００Ｖより高いので、１２０Ｖに上書きされる。
【００１１】
第５のデータである電力値１６０ＶＡ、電流値１Ａ、電圧値１１０Ｖが入力されても、これらの値はいずれもホールド電力値、ホールド電流値、ホールド電圧値より低いので、ホールド回路４０に記憶される各種パラメータはいずれも変化しない。なお、図３の例では最大値をホールドする設定としているが、最小値をホールドしても差し支えない。
【発明の開示】
【発明が解決しようとする課題】
【００１２】
しかしながら、図３のピークホールド回路では、各種パラメータの最大値をホールドするため、例えば設定されたパラメータである電力値が最大のとき（つまり、図４における第３のデータの入力値である電力値１８０ＶＡ）の他のパラメータ（つまり、図４におけるデータの入力値である電流値１．２Ａ、電圧値９０Ｖ）を知りたい場合にはデータを全て取得して改めて解析しなければならなかった。
【００１３】
本発明は、この問題点に鑑みてなされたものであり、設定されたパラメータがトリガ条件を満たしたとき、そのときの各種パラメータを記憶するピークホールド回路を提供することを目的とする。
【課題を解決するための手段】
【００１４】
このような課題を達成するために請求項１記載の発明は、
複数のパラメータのうち設定されたパラメータが入力され、このパラメータからトリガを検出するピーク検出回路と、
複数の前記パラメータが入力されると共に、前記ピーク検出回路が設定されたパラメータのトリガを検出したとき、複数の前記パラメータを記憶するホールド回路と
を備える。
【００１５】
また、請求項２記載の発明は、
複数のパラメータのうち設定されたパラメータが入力され、このパラメータの最大値又は最小値を検出するピーク検出回路と、
複数の前記パラメータが入力されると共に、前記ピーク検出回路が設定されたパラメータの最大値又は最小値を検出したとき、複数の前記パラメータを記憶するホールド回路と
を備える。
【発明の効果】
【００１６】
本発明では、次のような効果がある。
複数のパラメータが入力されると共に、ピーク検出回路が設定されたパラメータの最大値又は最小値を検出したとき、複数のパラメータを記憶するホールド回路を備えたので、その時の他のパラメータとの関係を把握することができ、データを後で解析する必要がない。
【発明を実施するための最良の形態】
【００１７】
以下、本発明によるピークホールド回路について図１を参照して説明する。図１は本発明によるピークホールド回路の構成図である。図１において、電力値出力手段１０、電流値出力手段２０、電圧値出力手段３０は図３と同様なので説明を省略する。
【００１８】
ピーク検出回路２１０は、電力値出力手段１０から電力パラメータ（データ信号）が入力され、図示しない記憶部でピーク値を記憶すると共に、ピーク値を検出した場合には後述するホールド回路２２０にホールド信号を出力する。ここで、ホールド信号とは、ピーク検出回路２１０に入力される電力パラメータが最大又は最小のときに、ホールド回路２２０に対して各種パラメータを取得・記憶する命令をいう。ホールド回路２２０は、電力値ホールド回路２２１、電流値ホールド回路２２２、電圧値ホールド回路２２３を備え、ピーク検出回路２１０から出力されるホールド信号が入力され、各種パラメータを記憶する。
【００１９】
電力値ホールド回路２２１は、電力値出力手段１０から出力された電力パラメータ（データ信号）の最大値又は最小値を記憶する。電流値ホールド回路２２２は、電流値出力手段２０から出力された電流パラメータ（データ信号）の最大値又は最小値を記憶する。電圧値ホールド回路２２３は、電圧値出力手段３０から出力された電圧パラメータ（データ信号）の最大値又は最小値を記憶する。
【００２０】
次に、図１の動作について図２を参照して説明する。図２はデータ信号が入力されるごとにホールド回路２２０で記憶する各種パラメータがどのように変化するかを示した表である。第１のデータとして、電力値１５０ＶＡ、電流値１Ａ、電圧値１００Ｖが入力されると、ピーク検出回路２１０は電力値１５０ＶＡを検出する。ここで、ピーク検出回路２１０の記憶部には何もデータが記憶されていないので、ピーク検出回路２１０は電力値１５０ＶＡを最大値と検出し、ホールド回路２２０に対してホールド信号を出力する。
【００２１】
ピーク検出回路２１０からホールド信号を受信したホールド回路２２０の電力値ホールド回路２２１、電流値ホールド回路２２２、電圧値ホールド回路２２３は、第１のデータである１５０ＶＡ、１Ａ、１００Ｖを記憶する。
【００２２】
第２のデータである電力値１４０ＶＡがピークホールド回路２１０に入力されても、第１のデータ１５０ＶＡよりも小さいので、ピーク検出回路２１０は動作せず、ホールド回路２２０で記憶される各種パラメータは変化しない。
【００２３】
第３のデータである電力値１８０ＶＡがピークホールド回路２１０に入力されると、ピーク検出回路２１０の記憶部に記憶されている１５０ＶＡより電力値が高いので、ピーク検出回路２１０はホールド回路２２０に対してホールド信号を出力する。そして、このホールド信号を受けたホールド回路２２０は、電力値ホールド回路２２１、電流値ホールド回路２２２、電圧値ホールド回路２２３に第３のデータ１８０ＶＡ、１．２Ａ、９０Ｖをそれぞれ記憶する。
【００２４】
第４のデータの電力値１３０ＶＡ、及び第５のデータの電力値１６０ＶＡがピーク検出回路２１０に入力されても、これらの値はピーク検出回路２１０に記憶されている電力値１８０ＶＡより小さいので、ピークホールド回路２１０は動作せずホールド信号を出力しない。したがって、ホールド回路２２０の各種パラメータは変化しない。なお、図１の例では最大値をホールドする設定としているが、最小値をホールドしても差し支えない。
【００２５】
このように、設定されたパラメータである電力の最大値をピーク検出回路２１０で検出し、そのときの各種パラメータをホールド回路２２０で記憶するので、必要なデータを後から解析する必要が無い。
【００２６】
なお、本実施例では電力計を例にとり説明したが例えばオシロスコープや多点記録計などの複数の電圧、温度を測定する測定装置であっても差し支えない。
【図面の簡単な説明】
【００２７】
【図１】本発明によるピークホールド回路の構成図である。
【図２】データ信号が入力されるごとにホールド回路２２０で記憶するデータ値がどのように変化するかを示した表である。
【図３】従来におけるピークホールド回路の構成図である。
【図４】データ信号が入力されるごとにホールド回路４０で記憶するデータ値がどのように変化するかを示した表である。
【符号の説明】
【００２８】
２１０              ピーク検出回路
２２０              ホールド回路
２２１              電力値ホールド回路
２２２              電流値ホールド回路
２２３              電圧値ホールド回路
【図１】
0004811641.tif 000002
【図２】
0004811641.tif 000003
【図３】
0004811641.tif 000004
【図４】
0004811641.tif 000005